(57)【要約】  例示的な物品は、光学フィルタと、光学フィルタに隣接した多層積層体と、を含むことができる。多層積層体は、複数の層を含んでもよい。複数の層の各それぞれの層は、複数の窓縁のそれぞれの窓縁を画定してもよい。複数の窓縁は、光学フィルタを通って光を伝送するように構成された光学窓を画定してもよい。複数の窓縁の少なくとも第１のそれぞれの窓縁は、複数の窓縁の少なくとも第２のそれぞれの窓縁に対して段があり得る。
2019534476.tif 000002
【特許請求の範囲】
【請求項１】
光学フィルタと、
前記光学フィルタに隣接した多層積層体と、を備える物品であって、
前記多層積層体は、複数の層を含み、前記複数の層の各それぞれの層は、複数の窓縁のそれぞれの窓縁を画定し、
前記複数の窓縁は、前記光学フィルタを通って光を伝送するように構成された光学窓を画定し、
前記複数の窓縁の少なくとも第１のそれぞれの窓縁は、前記複数の窓縁の少なくとも第２のそれぞれの窓縁に対して段付けられている、物品。
【請求項２】
前記複数の窓縁の前記第２のそれぞれの窓縁は、前記複数の窓縁の少なくとも第３のそれぞれの窓縁に対して段付けられている、請求項１に記載の物品。
【請求項３】
前記第１のそれぞれの窓縁は、前記第２のそれぞれの窓縁に対して半径方向内向きに段付けられている、請求項１又は２に記載の物品。
【請求項４】
前記複数の窓縁は、複数の連続的な半径方向内向きの窓縁を含む、請求項１に記載の物品。
【請求項５】
前記複数の連続的な半径方向内向きの窓縁は、前記光学フィルタに隣接した、半径方向に最外側の段付き窓縁と、前記光学フィルタから離れている、半径方向に最内側の段付き窓縁とを含む、請求項４に記載の物品。
【請求項６】
前記複数の連続的な半径方向内向きの窓縁の各それぞれの縁はそれぞれ、円、楕円、多角形、又所定の曲線を画定する、請求項４又は５に記載の物品。
【請求項７】
前記複数の連続的な半径方向内向きの縁の各それぞれの縁は、所定の閉曲線に実質的に類似したそれぞれの曲線を画定する、請求項４〜６のいずれか一項に記載の物品。
【請求項８】
前記複数の窓縁の各それぞれの窓縁は、それぞれの所定の円を画定する、請求項１〜７のいずれか一項に記載の物品。
【請求項９】
前記多層積層体の主面に隣接した保護層を更に含み、前記主面は、前記光学フィルタから離れている、請求項１〜８のいずれか一項に記載の物品。
【請求項１０】
前記光学窓を実質的に占有する光学的に透明な接着剤を更に含む、請求項１〜９のいずれか一項に記載の物品。
【請求項１１】
発光器又は受光器を更に含み、前記光学フィルタは、前記複数の層のうちの少なくとも１つの層と前記発光器又は受光器との間に配置されている、請求項１〜１０のいずれか一項に記載の物品。
【請求項１２】
前記光学フィルタは、前記複数の層の最上層と前記発光器又は受光器との間に配置されている、請求項１１に記載の物品。
【請求項１３】
前記光学フィルタは、前記複数の層の最下層と前記発光器又は受光器との間に配置されている、請求項１１又は１２に記載の物品。
【請求項１４】
前記複数の層の少なくとも１つの層は、実質的に可視光を散乱し、前記複数の層の少なくとも別の層は、可視光を実質的に吸収する、請求項１〜１３のいずれか一項に記載の物品。
【請求項１５】
前記少なくとも１つの層は、白色インク、顔料、又は染料のうちの１つ以上を含み、前記少なくとも別の層は、黒色インク、顔料、又は染料のうちの１つ以上を含む、請求項１４に記載の物品。
【請求項１６】
色層を更に備え、前記多層積層体は、前記色層と前記光学フィルタとの間に配置されており、前記色層は、前記光学窓にわたって延びている、請求項１〜１５のいずれか一項に記載の物品。
【請求項１７】
テクスチャ層を更に備え、前記多層積層体は、前記テクスチャ層と前記光学フィルタとの間に配置されており、前記テクスチャ層は、前記光学窓にわたって延びている、請求項１〜１５のいずれか一項に記載の物品。
【請求項１８】
光学フィルタと、
最下層から最上層までに配列された複数の層を含む多層積層体と、を備え、
前記多層積層体中の各それぞれの上層は、前記複数の層のそれぞれの下層によって画定されるそれぞれの下窓縁から半径方向内向きに延びているそれぞれの上窓縁を画定する物品。
【請求項１９】
前記複数の層の少なくとも前記最上層は、可視光を実質的に散乱し、前記複数の層の少なくとも前記最下層は、可視光を実質的に吸収する、請求項１８に記載の物品。
【請求項２０】
少なくとも前記最上層は、白色インク、顔料、又は染料のうちの１つ以上を含み、少なくとも前記最下層は、黒色インク、顔料、又は染料のうちの１つ以上を含む、請求項１９に記載の物品。
【請求項２１】
光学フィルタと、
前記光学フィルタに隣接した多層積層体であって、前記多層積層体は、複数の層を含み、前記複数層の各それぞれの層は、複数の窓縁のそれぞれの窓縁を画定し、前記複数の窓縁は、前記光学フィルタを通って光を伝送するように構成された光学窓を画定する、多層積層体と、
色層と、を備え、
前記多層積層体は、前記色層と前記光学フィルタとの間に配置されており、前記色層は、前記光学窓にわたって延びている物品。
【請求項２２】
光学フィルタと、
前記光学フィルタに隣接した多層積層体であって、前記多層積層体は、複数の層を含み、前記複数層の各それぞれの層は、複数の窓縁のそれぞれの窓縁を画定し、前記複数の窓縁は、前記光学フィルタを通って光を伝送するように構成された光学窓を画定する、多層積層体と、
テクスチャ層と、を備え、
前記多層積層体は、前記テクスチャ層と前記光学フィルタとの間に配置されており、前記テクスチャ層は、前記光学窓にわたって延びている物品。
【請求項２３】
前記発光器又は受光器は、近接センサ、赤外発光ダイオード、赤外線源、赤外線センサ、カメラ、又は周囲光センサのうちの１つを含む、請求項１〜２２のいずれか一項に記載の物品。
【請求項２４】
前記光学フィルタは、所定の赤外線透過率と所定の可視光散乱率とを有する波長選択性散乱フィルタを含み、前記光学フィルタは、前記発光器又は受光器をカモフラージュするように構成されている、請求項１〜２３のいずれか一項に記載の物品。
【請求項２５】
前記光学窓は、前記多層積層体の主面を通して実質的に視覚的に知覚不能である、請求項１〜２４のいずれか一項に記載の物品。
【請求項２６】
前記光学窓を通した前記光学フィルタの外観は、前記多層積層体の主面から視覚的に知覚不能である、請求項１〜２４のいずれか一項に記載の物品。
【請求項２７】
請求項１〜２６のいずれか一項に記載の物品を含む、携帯型電子装置。
【請求項２８】
前記光学窓に隣接したディスプレイを更に含む、請求項２７に記載の携帯型電子装置。
【請求項２９】
複数の層の各それぞれの層中に複数の窓縁のそれぞれの窓縁を形成することと、
多層積層体を形成するように、最下層から最上層へ前記複数の層を配列することであって、前記多層積層体中の各それぞれの上層が、前記複数の層のそれぞれの下層によって画定されるそれぞれの下窓縁から半径方向内向きに延びているそれぞれの上窓縁を画定している、ことと、
前記最下層に隣接して光学フィルタを配置することと、を含む方法。
【請求項３０】
前記最下層に隣接して前記光学フィルタを配置することは、前記最上層と前記最下層との間に前記光学フィルタを配置することを含む、請求項２９に記載の方法。
【請求項３１】
前記最下層に隣接して前記光学フィルタを配置することは、前記最上層と前記光学フィルタとの間に前記最下層を配置することを含む、請求項２９に記載の方法。
【請求項３２】
前記複数の層の少なくとも前記最上層は、可視光を実質的に散乱し、前記複数の層の少なくとも前記最下層は、可視光を実質的に吸収する、請求項２９〜３１のいずれか一項に記載の方法。
【請求項３３】
少なくとも前記最上層は、白色インク、顔料、又は染料のうちの１つ以上を含み、少なくとも前記最下層は、黒色インク、顔料、又は染料のうちの１つ以上を含む、請求項３２に記載の方法。
【請求項３４】
前記光学窓を実質的に占有するように光学的に透明な接着剤を配置することを更に含む、請求項３１〜３３のいずれか一項に記載の方法。
【請求項３５】
前記最上層に隣接して保護層を配置することを更に含む、請求項３１〜３４のいずれか一項に記載の方法。
【請求項３６】
前記最上層に隣接して色層を配置することを更に含む、請求項３１〜３５のいずれか一項に記載の方法。
【請求項３７】
前記最上層に隣接してテクスチャ層を配置することを更に含む、請求項３１〜３６のいずれか一項に記載の方法。
【発明の詳細な説明】
【背景技術】
【０００１】
装置は、光通信システム、センサ、イメージング、科学及び産業光学機器、並びにディスプレイシステムなどの多種多様の用途における光学フィルタを含むことができる。光学フィルタは、光を含む入射電磁放射の透過を管理する光学層を備えることができる。光学フィルタは、入射光の一部を反射又は吸収し、光学窓を通して入射光の別の部分を伝送させることができる。光学フィルタ内の光学層は、波長選択性、光透過率、光学的透明度、光学ヘイズ、及び屈折率が異なることがある。
【発明の概要】
【０００２】
本開示は、光学フィルタと、光学フィルタに隣接した多層積層体と、を含む例示的な物品について記載している。多層積層体は、複数の層を含むことができる。複数の層の各それぞれの層は、複数の窓縁のそれぞれの窓縁を画定してもよい。複数の窓縁は、光学フィルタを通って光を伝送するように構成された光学窓を画定してもよい。複数の窓縁の少なくとも第１のそれぞれの窓縁は、複数の窓縁の少なくとも第２のそれぞれの窓縁に対して段付けることができる。
【０００３】
本開示は、光学フィルタと、多層積層体と、を含む例示的な物品について記載している。多層積層体は、最下層から最上層に配列された複数の層を含むことができる。多層積層体中の各それぞれの上層は、それぞれの上窓縁を画定することができ、この上窓縁は、複数の層のそれぞれの下層によって画定されるそれぞれの下窓縁から半径方向内向きに延びている。
【０００４】
本開示は、光学フィルタと、光学フィルタに隣接した多層積層体と、を含む例示的な物品について記載している。多層積層体は、複数の層を含むことができる。複数の層の各それぞれの層は、複数の窓縁のそれぞれの窓縁を画定してもよい。複数の窓縁は、光学フィルタを通って光を伝送するように構成された光学窓を画定してもよい。例示的な物品は、色層を含むことができる。多層積層体は、色層と光学フィルタとの間に配置してもよい。色層は、光学窓にわたって延びてもよい。
【０００５】
本開示は、光学フィルタと、光学フィルタに隣接した多層積層体と、を含む例示的な物品について記載している。多層積層体は、複数の層を含むことができる。複数の層の各それぞれの層は、複数の窓縁のそれぞれの窓縁を画定してもよい。複数の窓縁は、光学フィルタを通って光を伝送するように構成された光学窓を画定してもよい。例示的な物品は、テクスチャ層を含むことができる。多層積層体は、テクスチャ層と光学フィルタとの間に配置してもよい。テクスチャ層は、光学窓にわたって延びてもよい。
【０００６】
本開示は、例示的な技術について記載している。例示的な技術は、複数の層の各それぞれの層中に複数の窓縁のそれぞれの窓縁を形成することを含んでもよい。例示的な技術は、最下層から最上層へ複数の層を配列して、多層積層体を形成することを含むことができる。多層積層体中の各それぞれの上層は、それぞれの上窓縁を画定してもよい。この上窓縁は、複数の層のそれぞれの下層によって画定されるそれぞれの下窓縁から半径方向内向きに延びている。例示的な技術には、最下層に隣接して光学フィルタを配置することを含んでもよい。
【０００７】
本発明の１つ以上の態様の詳細は、添付の図面及び以下の説明に記載されている。本発明の他の特徴、目的、及び利点は、明細書及び図面、並びに特許請求の範囲から明らかとなる。
【図面の簡単な説明】
【０００８】
以下の「発明を実施するための形態」と、添付の図面を併せて読むことによって、本発明の上記及び他の容態はより明らかになる。
【０００９】
【図１】光学窓を含む例示的な物品の概念及び概略図である。
【００１０】
【図２Ａ】図１の例示的な物品の例示的な光学窓の概念及び概略図である。
【図２Ｂ】図２Ａの例示的な光学窓の断面Ａ−Ａに沿った断面図である。
【００１１】
【図３Ａ】段のある縁を有する例示的な光学窓を含む例示的な物品の断面図である。
【図３Ｂ】図３Ａの例示的な光学窓の平面図である。
【００１２】
【図４】段のある縁を有する例示的な光学窓を含む例示的な物品の断面図である。
【００１３】
【図５】段のある縁を有する例示的な光学窓を含む例示的な物品の断面図である。
【００１４】
【図６Ａ】窓にわたって延びている色層を含む例示的な光学窓を含む例示的な物品の断面図である。
【００１５】
【図６Ｂ】窓にわたって延びているテクスチャ層を含む例示的な光学窓を含む例示的な物品の断面図である。
【００１６】
【図７Ａ】例示的な光学窓を含む例示的な装置の写真である。
【図７Ｂ】図７Ａの写真の領域の拡大図である。
【００１７】
【図８】窓にわたって延びているテクスチャ層を有する例示的な光学窓を含む例示的な装置の写真である。
【００１８】
【図９Ａ】測色計を用いて測定された例示的な多層光学フィルムの色ＬＡＢ値（Ｌ＊、ａ＊、及びｂ＊）を表すチャートである。
【図９Ｂ】測色計を用いて測定された例示的な多層光学フィルムの色ＬＡＢ値（Ｌ＊、ａ＊、及びｂ＊）を表すチャートである。
【００１９】
【図９Ｃ】光学フィルタに関する図９Ａ及び図９Ｂの例示的な多層光学フィルムのΔＬ、Δａ、及びΔｂ値を表すチャートである。
【００２０】
【図９Ｄ】図９Ａ及び図９Ｂの例示的な光学多層積層体の可視反射率を表すチャートである。
【００２１】
【図１０Ａ】第１の段のある縁及び第２の鮮明な縁を有する例示的な光学多層の写真である。
【００２２】
【図１０Ｂ】鮮明な縁から段のある縁への図１０Ａの例示的な光学多層フィルムの色Ｌ値の線形変動を表す第１の曲線と、第１の曲線の微分曲線と、を表すチャートである。
【００２３】
本開示の特定の図の特徴は必ずしも原寸に比例して描かれているとは限らず、図は、本明細書に開示されている技法の非排他的な実施例を示していることを理解されたい。
【発明を実施するための形態】
【００２４】
図１は、光学窓を含む例示的な物品の概念及び概略図である。例示的な物品１０は、個人電子装置、例えば、ディスプレイ１４を有する本体１２を含む携帯電話を含むことができる。いくつかの実施例では、電子的又は機械的システムは、例示的な物品１０、例えば、ディスプレイを含むことができる任意のシステムを含むことができる。例えば、このシステムには、自動車、器具、家具、又は本体とタッチスクリーン領域及びセンサパネルを含むディスプレイとを含む他の要素を含むことができる。図１に示すように、物品１０は、ディスプレイ１４に隣接してセンサパネル１６を含むことができる。センサパネル１６は、表面１８を有してもよい。センサパネル１６は、光学窓２０を含むことができる。光学窓２０は、他の任意の光学窓、例えば、近接センサ窓２８、周囲センサ窓３０、赤外線ＬＥＤ（発光ダイオード）窓２２、カメラ窓２４に隣接して配置してもよい。いくつかの実施例では、センサパネル１６の光学窓、例えば、光学窓２０は、センサパネル１６の表面１８の下のそれぞれの受光器又は光トランスミッタに光を伝送することができる。例えば、受光器は、可視光線、赤外線、偏光、又はその他の光センサを含んでもよく、光トランスミッタは、可視光線、赤外線、偏光、又はその他の光トランスミッタを含んでもよい。いくつかの実施例では、受光器又はトランスミッタは、それぞれ、光の所定の波長帯、例えば、可視波長、赤外波長、又は紫外波長のうちの１つ以上を発光又は感知するように構成された、広帯域又は狭帯域の装置であってよい。赤外波長は、約７００ｎｍ〜約２０００ｎｍの波長を含んでもよい。いくつかの実施例では、物品１０は、センサパネル１６の下の近接センサに隣接して配置された、又は光学的に結合された近接センサ窓２８を含んでもよい。近接センサは、近接センサ窓２８を通して赤外線又は他の好適な信号を発生し、近接センサ窓２８を通して対象物から跳ね返った又は反射された戻り信号を受信することができる。いくつかの実施例では、物品１０は、センサパネル１６の下のフォトダイオード又は他の光センサに隣接して配置された周囲センサ窓３０を含むことができ、これは、周囲センサ窓３０を通して伝送される周囲光を感知できる。いくつかの実施例では、物品１０は、センサパネル１６の下に配置された赤外線ＬＥＤ源に隣接して配置された赤外線ＬＥＤ窓２２を含むことができ、これは、赤外線ＬＥＤ窓２２を通して赤外線ビームを伝送できる。いくつかの実施例では、物品１０は、カメラ窓２４を通して伝送された可視又は赤外画像を撮影可能なＣＣＤ（電荷結合素子）、ＣＭＯＳ、又は他の光センサアレイに隣接して配置されたカメラ窓２４を含むことができる。いくつかの実施例では、物品１０は、上記の例示的な光学窓のうちの１つだけの光学窓、又は２つ以上の光学窓を含むことができる。いくつかの実施例では、物品１０は、光をそれぞれの光学窓にわたって周囲環境との間で伝送する他の光学窓を含むことができる。いくつかの実施例では、１つ以上の光学窓は、それぞれの光学窓を通して伝送された光の特性を向上させ、導き、若しくは選択するためのミラー、反射器、レンズ、光学フィルタ、若しくは他の光学素子などの光学素子を含むか、又は隣接して配置することができる。例えば、光学フィルタは、偏光を変えるか、又は光のスペクトルを変えることができる。いくつかの実施例では、光学フィルタは、所定の波長のための偏光子（吸収性又は反射性偏光子の一方又は両方）として機能することができる。いくつかの実施例では、物品１０は、他の光学窓又はセンサ（図示せず）を含むことができる第２のセンサパネル３２を含むことができる。いくつかの実施例では、センサパネル１６は、光学窓２０に隣接して音響構成要素２６を含むことができる。例えば、音響構成要素２６は、スピーカ又はマイクロフォンを含むことができる。
【００２５】
図２Ａは、図１の例示的な物品の例示的な光学窓の概念及び概略図である。いくつかの実施例では、光学窓２０は、光学窓２０を通して観察可能な領域３４を囲む縁３６を画定してもよい。例えば、領域３４は、周囲表面１８とは、異なる色、テクスチャ、反射率、又は他の光学特性を示す場合があり、その差により、センサパネル１６の表面１８において全体として領域３４のいずれかの目視での認知、又は表面１８から領域３４を分離する縁３６の目視での認知、又は両方につながる。図２Ｂは、図２Ａの例示的な光学窓の断面Ａ−Ａに沿った断面図である。いくつかの実施例では、物品１０は、光学窓２０を画定する多層積層体４０を含むことができる。いくつかの実施例では、物品１０は、多層積層体４０に隣接して光レシーバ又はトランスミッタ６０を含むことができる。例えば、光レシーバ又はトランスミッタ６０は、赤外線センサのなどの光センサ、又は赤外線ＬＥＤなどの光エミッタ、又は上記のような任意の他の好適なセンサ又はエミッタを含むことができる。いくつかの実施例では、光学フィルタ４２は、光学窓２０と光レシーバ又はトランスミッタ６０との間に配置してもよい。例えば、光学フィルタ４２は、第２の所定の波長セットを散乱又は反射しながらに、第１の所定の波長セットを伝送してもよい。いくつかの実施例では、光学的に透明な接着剤５６は、多層積層体４０によって画定された光学窓２０、又は光学窓２０に隣接した別の所定の容積（volume）を占有してもよい。いくつかの実施例では、多層積層体は、最外層である保護層５４、例えば、表面１８を画定する層を含むことができる。例えば、保護層５４は、物品１０の本体１２の内部への衝撃又は埃の伝達に対する物理的障壁として作用する、ガラス、金属、セラミック、ポリマー又は他の材料のうちの１つ以上を含むことができる。いくつかの実施例では、多層積層体４０は、保護層５４を含まない場合があり、代わりに、保護層５４が多層積層体の主面に隣接する場合がある。例えば、保護層５４は、光学フィルタ４２から離れた主面に隣接してもよい。
【００２６】
いくつかの実施例では、多層積層体４０は、光学窓２０を画定する１つ以上の層を含むことができる。いくつかの実施例では、多層積層体４０の１つ以上の層は、ガラス、ポリマー、セラミック、不織布、金属、又は他の好適な材料のうちの１つ以上を含むことができる。例えば、多層積層体４０は、第１の吸収層４４、第２の吸収層４６、第１の着色層４８、第２の着色層５０、第３の着色層５２のうちの１つ以上を含んでもよい。いくつかの実施例では、第１の吸収層４４又は第２の吸収層４６の一方又は両方は、所定の波長又は波長帯域を吸収する吸収性染料又は顔料を含んでもよい。例えば、第１の吸収層４４又は第２の吸収層４６は、全ての可視波長を実質的に吸収することができ、実質的に黒色に見える。いくつかの実施例では、第１の吸収層４４又は第２の吸収層４６の一方又は両方は、灰色顔料を含んでいてもよいし、又は別の方法で灰色に見えてもよい。いくつかの実施例では、第１の吸収層４４又は第２の吸収層４６の一方又は両方は、所定の色で着色してもよい。いくつかの実施例では、第１の着色層４８、第２の着色層５０、又は第３の着色層５２のうちの１つ以上は、所定の波長又は波長帯域を吸収する染料又は顔料を含んでもよく、他の所定の波長又は波長帯域を反射又は散乱してもよい。例えば、第１の着色層４８、第２の着色層４６、又は第３の着色層５２は、全ての可視波長を実質的に散乱させることができ、実質的に白色に見える。いくつかの実施例では、第１の着色層４８、第２の着色層４６、又は第３の着色層５２のうちの１つ以上は、白色染料又は顔料を含んでもよい。いくつかの実施例では、第１の着色層４８、第２の着色層４６、又は第３の着色層５２は、分散粒子、例えば、二酸化チタン、又は他の好適な分散粒子を含んでもよい。このように、いくつかの実施例では、複数の層の少なくとも１つの層は、実質的に可視光を散乱させることができ、複数の層の少なくとも別の層は、実質的に可視光を吸収することができる。例えば、複数の層の少なくとも最上層は、実質的に可視光を散乱させることができ、複数の層の少なくとも最下層は、実質的に可視光を吸収することができる。いくつかの実施例では、少なくとも１つの層は、白色インク、顔料、又は染料のうちの１つ以上を含んでもよく、少なくとも別の層は、黒色インク、顔料、又は染料のうちの１つ以上を含んでもよい。例えば、少なくとも最上層は、白色インク、顔料、又は染料のうちの１つ以上を含んでもよく、少なくとも最下層は、黒色インク、顔料、又は染料のうちの１つ以上を含んでもよい。いくつかの実施例では、多層積層体４０の１つ以上の層は、白色インク、例えば、ＳＳ８−６１（Ｊｉａｎｇｍｅｎ  ＴＯＹＯ  Ｉｎｋ  Ｃｏ．，Ｌｔｄ．，Ｇｕａｎｇｄｏｎｇ，Ｃｈｉｎａ）を含んでもよい。いくつかの実施例では、多層積層体４０の１つ以上の層は、黒色インク、例えば、ＩＲ９５０８（ＭｉｎｇＢｏ  Ａｎｔｉ−Ｆｏｒｇｅｒｙ  Ｔｅｃｈｎｏｌｏｇｙ（Ｓｈｅｎｚｈｅｎ）Ｃｏ．，Ｌｔｄ．，Ｇｕａｎｇｄｏｎｇ，Ｃｈｉｎａ）を含んでもよい。いくつかの実施例では、接着剤、例えば、感圧接着剤、ホットメルト接着剤、２液型接着剤、又は紫外線硬化接着剤のうちの１つ以上は、多層積層��４０の１つ以上の層の間に配置してもよい。いくつかの実施例では、多層積層体４０は、１つ以上の散乱層、着色層、ティント層、曇り層、クリア層、又は波長選択層を含んでもよい。上記の全ての層は任意であり、いくつかの実施例では、多層積層体４０は、上記の層を含まないか、１つ含むか、若しくは２つ以上含んでもよく、又は追加の層を含んでもよい。
【００２７】
いくつかの実施例では、第１の吸収層４４、第２の吸収層４６、第１の着色層４８、第２の着色層５０、又は第３の着色層５２のうちの１つ以上は、例えば、所定の可視波長を散乱、拡散、又は反射することにより、任意の所定の可視色を有することができる。いくつかの実施例では、第１の吸収層４４、第２の吸収層４６、第１の着色層４８、第２の着色層５０、又は第３の着色層５２のうちの１つ以上は、少なくとも部分的に赤外波長を吸収、屈折、反射、又は拡散してもよい。いくつかの実施例では、第１の吸収層４４、第２の吸収層４６、第１の着色層４８、第２の着色層５０、又は第３の着色層５２のうちの１つ以上は、赤外線吸収幾何学パターンと実質的に類似又は実質的に一致する可視色幾何学パターンを示すことができる。いくつかの実施例では、第１の吸収層４４、第２の吸収層４６、第１の着色層４８、第２の着色層５０、又は第３の着色層５２のうちの１つ以上は、それぞれの層によって示される赤外線吸収幾何学パターンとは少なくとも部分的に異なる可視色幾何学パターンを示すことができる。
【００２８】
いくつかの実施例では、図２Ｂに示すように、第３の着色層５２は、第２の着色層５０上に配置してもよく、これは、第１の着色層４８上に配置してもよく、これは、第２の吸収層４６上に配置してもよく、これは、第１の吸収層４４上に配置してもよい。例えば、第３の着色層５２は、表面１８に最も近い最上層であってもよく、第１の吸収層４４は、表面１８から最も遠くかつ光レシーバ又はエミッタ６０に最も近い最下層であってもよい。いくつかの実施例では、回折光学層は、第１の着色層４８、第２の着色層５０、又は第３の着色層５２のうちの１つ以上に隣接して配置してもよい。例えば、回折光学層は、第２の着色層５０と第３の着色層５２との間に配置してもよい。いくつかの実施例では、回折層は、例えば、ナノサイズ又はミクロンサイズの特徴を有する微細構造であってよく、屈折率の変化を示すことができる。いくつかの実施例では、多層積層体４０の１つ以上の層は、窓縁が一緒に光学窓２０を画定するように窓縁を画定することができる。
【００２９】
例えば、第１の吸収層４４、第２の吸収層４６、第１の着色層４８、第２の着色層５０、及び第３の着色層５２のそれぞれの縁は、光学窓２０を画定することができる。いくつかの実施例では、それぞれの縁は、図２Ｂに示すように、位置合わせされてもよく、位置合わせされた縁は、図２Ａに示すように、比較的鮮明な縁３６として可視である。いくつかの実施例では、光学窓２０を通して観測可能な領域３４は、光学フィルタ４２の主面、光レシーバ又はエミッタ６０の主面、又は多層積層体４０の下の任意の他の表面、例えば、物品１０の本体１２内の構成要素の主面を含んでもよい。いくつかの実施例では、光学窓２０の縁は、直線又は曲線の境界線によって画定してもよい。例えば、光学窓２０は、光学特性が第１の領域から第２の領域へと遷移するように、主面上に２つの隣接した領域を画定することができる。したがって、いくつかの実施例では、領域３４は、センサパネル１６の表面１８と比較して、可視的に異なるテクスチャ、外観、色、又は光学特性を示し得る。
【００３０】
しかし、いくつかの実施例では、目視による認知から、光学窓２０、縁３６、又は領域３４のうちの１つ以上をカモフラージュ又は別の方法で隠蔽することが好ましい場合がある。例えば、光学窓２０、縁３６、又は領域３４を認知することにより、美的品質、意図された設計検討、又は物品１０全体若しくは特にセンサパネル１６の対象ユーザ相互作用を損なう恐れがある。いくつかの実施例では、均一な見た目の外観のセンサパネル１６が好適であり得る。しかし、多層積層体４０中の層の位置合わせされた縁は、表面１８と領域３４との間の変わり目が見えることによって、好ましい均一な外観を妨げる場合がある。
【００３１】
いくつかの実施例では、多層積層体４０のそれぞれの層は、段があってもよく、周囲エリア１８の認知と領域３４の認知との間の変わり目が緩やかになり、これにより、センサパネル１６の表面１８は、より均一な外観を有するように見える。例えば、図３Ａは、段のある縁及び光学フィルタ５８を有する例示的な光学窓を含む例示的な物品の断面図である。いくつかの実施例では、光学フィルタ５８は、上記の例示的な物品に関して記載された光学フィルタ４２と同様であってもよい。いくつかの実施例では、光学フィルタ５８の部分領域又は主面は、ＮＩＲ透明の可視的に不透明又は黒色のインクでコーティングしてもよい。いくつかの実施例では、光学フィルタ５８は、所定の赤外線透過率及び所定の可視散乱比を有する波長選択性散乱フィルタを含んでもよい。例えば、光学フィルタ５８は、目視による認知から、光エミッタ又はレシーバをカモフラージュするように構成してもよい。しかし、光学フィルタ５８は、目視による認知から、位置合わせされた窓縁を覆い隠す、又はカモフラージュする、又は覆い隠すのに十分ではない場合がある。
【００３２】
このように、いくつかの実施例では、多層積層体４０は、段のある窓縁を画定する複数の層、例えば、それぞれの層４４〜５２のうちの１つ以上を含んでもよい。例えば、複数の層の各それぞれの層は、例えば、図３Ａに示すように、複数の窓縁のそれぞれの窓縁を画定してもよい。複数の窓縁は、光学フィルタ５８を通して光エミッタ又はレシーバ６０との間で光を伝送するように構成された光学窓２０を画定することができる。複数の縁の少なくとも第１のそれぞれの窓縁は、複数の窓縁の少なくとも第２のそれぞれの窓縁に対して段付けることができる。例えば、光学窓２０に隣接した第１の吸収層４４の窓縁は、第２のそれぞれの縁に対して段付けられた第１のそれぞれの窓縁、例えば、光学窓２０に隣接した第２の吸収層４６の窓縁であってよい。いくつかの実施例では、複数の窓縁の第２のそれぞれの窓縁は、複数の窓縁の少なくとも第３のそれぞれの窓縁に対して段付けることができる。例えば、光学窓２０に隣接した第２の吸収層４６の窓縁は、第３のそれぞれの縁に対して段付けられた第２のそれぞれの窓縁、例えば、光学窓２０に隣接した第１の色層４８の窓縁であてもよい。いくつかの実施例では、それぞれの層４４、４６、４８、５０、又は５２のうちの１つの縁は、それぞれの層４４、４６、４８、５０、又は５２の別のものに対して内向き又は外向きに段付けることができる。
【００３３】
いくつかの実施例では、図３Ａに示すように、複数の層のそれぞれの層の各それぞれの窓縁は、複数の層の別のそれぞれの層の少なくとも別のそれぞれの窓縁に対して段付けることができる。例えば、第１の吸収層４４の窓縁は、それぞれが、第２の吸収層４６、第１の色層４８、第２の色層５０、及び第３の色層５２によって画定された各窓縁に対して段付けられている。同様に、第２の吸収層４６、第１の色層４８、第２の色層５０、及び第３の色層５２の各々のそれぞれの窓縁は、多層積層体４０の他の層によって画定された窓縁に対して段付けられている。いくつかの実施例では、第１のそれぞれの窓縁は、第２のそれぞれの窓縁に対して半径方向内向きに段付けることができる。いくつかの実施例では、複数の窓縁は、複数の連続的に半径方向内向きの窓縁を含んでもよい。例えば、図３Ａに示すように、層４４、４６、４８、５０、及び５２は、層４４から層５２への方向に一連の連続的に内向きの窓縁を画定する。いくつかの実施例では、複数の連続的に半径方向内向きの窓縁は、光学フィルタ５８に隣接した半径方向に最外側の段付き窓縁及び光学フィルタ５８から離れている半径方向に最内側の段付き窓縁を含んでもよい。例えば、第１の吸収層４４は、半径方向に最外側の段のある窓縁を画定してもよく、第３の色層５２は、半径方向に最内側の段のある窓縁を画定してもよい。図３Ａに示される実施例では、層、例えば、５２、５０、及び４８のそれぞれの縁は、ずれているが、いくつかの実施例では、ある層の縁は、別の層によって画定された縁上に延びていることができる。例えば、第１の層は、第２の層によって画定された縁上に延びていることができ、第１の層は、一般に、第２の層によって画定された縁領域に合致し得る。いくつかの実施例では、第１の層は、第２の層の縁を少なくとも部分的に囲むことができる。
【００３４】
いくつかの実施例では、複数の連続的に半径方向内向きの窓縁の各それぞれの縁は、円、楕円、多角形、又は所定の連続、不連続、若しくはディザー処理された曲線をそれぞれ画定することができる。例えば、複数の連続的に半径方向内向きの縁の各それぞれの縁は、所定の閉曲線に実質的に類似したそれぞれの曲線を画定してもよい。いくつかの実施例では、複数の窓縁の各それぞれの窓縁は、それぞれの所定の円を画定してもよい。いくつかの実施例では、複数の連続的に半径方向内向きの窓縁の各それぞれの縁は、実質的に類似の曲線又は形状を画定することができる。いくつかの実施例では、複数の連続的に半径方向内向きの窓縁のうちの１つ以上の縁は、異なる曲線又は形状を画定することができる。
【００３５】
第２の窓縁に対して段のある第１の窓縁は、カスケード型の又はずれた窓縁の組、例えば、窓縁のうちの１つを画定する層によって占有された、それぞれの平面に平行な平面に沿って少なくとも所定の横方向変位によって分離された窓縁を画定することができる。いくつかの実施例では、段のある窓縁は、少なくとも約１０ｎｍ、１００ｎｍ、１マイクロメートル、１０マイクロメートル、又は１００マイクロメートル、又は１ｍｍ、又は２ｍｍ、又は５ｍｍ、又は１０ｍｍの最小横方向変位によって分離してもよい。いくつかの実施例では、段のある窓縁は、約５ｍｍ未満、又は約２ｍｍ未満、又は約１ｍｍ未満の横方向変位によって分離してもよい。
【００３６】
いくつかの実施例では、層は、層の物理的境界、例えば、その中に層の材料が存在しない境界に、窓縁を画定することができる。いくつかの実施例では、層は、層の光学的境界、例えば、層の光学特性が変化する境界に、窓縁を画定することができる。いくつかの実施例では、顔料の量、染料の量、屈折率、反射率、散乱、吸光度、又は他の光学特性のうちの１つ以上の変化により、層の窓縁を画定することができる。例えば、層は、層の主面を横切る材料を含んでもよいが、窓縁を囲む材料は、黒色であってもよく、一方、窓縁内の材料は、透明であってもよい。このように、いくつかの実施例では、光学窓２０は、多層積層体４０のそれぞれの層のそれぞれの窓縁内の一連の透明、半透明、又は更には可視的に不透明な領域によって画定されてもよく、これにより、光学窓２０は、所定の波長を伝送する。例えば、光学窓２０は、可視波長を反射又は散乱しながら、全ての波長を伝送する、又は赤外波長のみを伝送することができる。しかし、上記のように、いくつかの実施例では、多層積層体４０の層は、それぞれの窓縁内に層の領域が存在しない場合があるため、光学窓２０を占有しない場合がある。いくつかの実施例では、図３Ａに示すように、多層積層体４０ａは、最下層から最上層に配列された複数の層を含んでもよい。例えば、第３の色層５２は、最上層であってもよく、第１の吸収層４４は、最下層であってもよく、多層積層体４０ａ中の各それぞれの上層は、複数の層のそれぞれの下層によって画定される、それぞれの下窓縁から半径方向内向きに延びているそれぞれの上窓縁を画定することができる。
【００３７】
このように、いくつかの実施例では、図３Ａの多層積層体４０ａは、段のある、ずれた、カスケード型の、又は変位した窓縁を示すことができ、図３Ｂで明らかなように、それぞれの段のある縁によって画定された光学窓２０は、段階的な縁３６ａを有する。図３Ｂは、図３Ａの例示的な光学窓の平面図である。段階的な縁３６ａは、図２Ｂの縁３６と比較して知覚しにくい場合がある。いくつかの実施例では、段階的な縁３６ａは、視覚的に知覚できない場合があり、これにより、光学窓２０の知覚性を低減又は排除することができる。
【００３８】
いくつかの実施例では、光学フィルタ５８は、複数の層のうちの少なくとも１つの層と光エミッタ又はレシーバ６０との間に配置してもよい。例えば、光学フィルタ５８は、多層積層体４０の層４４、４６、４８、５０、及び５２のいずれか又は任意の他の層と光エミッタ又はレシーバ６０との間に配置してもよい。いくつかの実施例では、光学フィルタ５８は、複数の層の最下層と光エミッタ又はレシーバ６０との間に配置してもよい。例えば、図３Ａに示すように、第１の吸収層４４は、最下層であってもよく、光学フィルタ５８は、第１の吸収層４４と光エミッタ又はレシーバ６０との間に配置してもよい。いくつかの実施例では、光学フィルタ５８の空間的広がり、及び光学フィルタ５８の位置と多層積層体４０の１つ以上の層との間の空間的関係は、変化してもよい。例えば、光学フィルタ５８は、複数の層の最上層と光エミッタ又はレシーバ６０との間に配置してもよい。図４は、段のある縁を有する例示的な光学窓２０を含む例示的な物品の断面図である。例えば、図４に示すように、第３の着色層５２は、最上層であってもよく、光学フィルタ５８は、第１の吸収層４４と第１の着色層４８との間に位置してもよく、これにより、最上層の着色層５２と光エミッタ又はレシーバ６０との間に配置してもよい。いくつかの実施例では、光学フィルタ５８の少なくとも１つの領域は、光学的に透明な接着剤５６と第２の層４６との間に配置してもよい。
【００３９】
いくつかの実施例では、多層積層体４０は、単一の色層のみを含んでもよい。例えば、段のある縁を有する例示的な光学窓２０を含む例示的な物品の断面図である図５に示すように、多層積層体４０は、第３の色層５２、第１の吸収層４４、第２の吸収層４６を含んでもよい。更に、図５の例示的な物品では、光学フィルタ５８は、複数の層の最上層（層５２）と光エミッタ又はレシーバ６０との間に配置してもよい。
【００４０】
いくつかの実施例では、例示的な物品１０は、光学窓２０にわたって延びている色層を含んでもよい。例えば、図６Ａに示すように、光学窓２０にわたって延びている追加の色層６２は、位置合わせされた窓縁を含む、図２Ｂの多層積層体４０の上部に配置されてもよく、多層積層体４０ｄを形成することができる。図６Ａは、光学窓２０にわたって延びている色層６２を含む例示的な物品の断面図である。図６Ａの例示的な物品では、追加の色層６２は、保護層５４の上部に配置されるが、いくつかの実施例では、保護層５４は、追加の色層６２の上部に配置してもよく、これにより、追加の色層６２は、多層積層体４０の最上層の上に配置される。いくつかの実施例では、光学窓２０にわたって延びている色層６２は、段のある窓縁を含む多層積層体４０ａの上部に配置してもよい。したがって、いくつかの実施例では、図２Ｂの多層積層体４０、又は図３Ａの多層積層体４０ａは、色層６２と光学フィルタ５８との間に配置してもよい。いくつかの実施例では、多層積層体４０又は４０ａは、光学窓２０にわたって延びている色層を含んでもよい。例えば、多層積層体４０又は４０ａの色層４８、５０、５２、若しくは異なる色層のうちの１つ以上は、光学窓２０にわたって延びてもよい。
【００４１】
いくつかの実施例では、例示的な物品１０は、光学窓２０にわたって延びているテクスチャ層を含んでもよい。例えば、図６Ｂに示すように、光学窓２０にわたって延びているテクスチャ層６４は、位置合わせされた窓縁を含む、図２Ｂの多層積層体４０の上部に配置してもよく、多層積層体４０ｅを形成することができる。図６Ｂは、光学窓２０にわたって延びているテクスチャ層６４を含む例示的な物品の断面図である。図６Ｂの例示的な物品では、テクスチャ層６４は、保護層５４の上部に配置されるが、いくつかの実施例では、保護層５４は、テクスチャ層６４の上部に配置してもよく、これにより、テクスチャ層６４は、多層積層体４０の最上層の上に配置される。いくつかの実施例では、光学窓２０にわたって延びているテクスチャ層６４は、段のある窓縁を含む多層積層体４０ａの上部に配置してもよい。したがって、いくつかの実施例では、図２Ｂの多層積層体４０、又は図３Ａの多層積層体４０ａは、テクスチャ層６４と光学フィルタ５８との間に配置してもよい。いくつかの実施例では、多層積層体４０又は４０ａは、テクスチャ層６４を含んでもよい。例えば、テクスチャ層６４は、多層積層体４０又は４０ａの最上層と最下層との間に配置してもよい。テクスチャ層６４は、屈折、反射、拡散、回折、又は吸収のうちの１つ以上から生じるテクスチャを含んでもよい。
【００４２】
上記の１つ以上の実施例による物品は、上記の例示的な技術を使用して製造してもよい。例示的な技術は、複数の層の各それぞれの層中に複数の窓縁のそれぞれの窓縁を形成することを含んでもよい。例示的な技術は、最下層から最上層へ複数の層を配列して、多層積層体を形成することを含むことができる。多層積層体中の各それぞれの上層は、それぞれの上窓縁を画定してもよく、この上窓縁は、複数の層のそれぞれの下層によって画定されるそれぞれの下窓縁から半径方向内向きに延びている。例示的な技術には、最下層に隣接して光学フィルタを配置することを含んでもよい。
【００４３】
いくつかの実施例では、最下層に隣接して光学フィルタを配置することは、最上層と最下層との間に光学フィルタを配置することを含んでもよい。いくつかの実施例では、最下層に隣接して光学フィルタを配置することは、最上層と光学フィルタとの間に最下層を配置することを含んでもよい。いくつかの実施例では、複数の層の少なくとも最上層は、実質的に可視光を散乱させてもよい。いくつかの実施例では、複数の層の少なくとも最下層は、実質的に可視光を吸収してもよい。いくつかの実施例では、少なくとも最上層は、白色インク、顔料、又は染料のうちの１つ以上を含んでもよく、少なくとも最下層は、黒色インク、顔料、又は染料のうちの１つ以上を含んでもよい。いくつかの実施例では、例示的な技術は、光学窓を実質的に占有する光学的に透明な接着剤を配置することを含んでもよい。いくつかの実施例では、例示的な技術は、最上層に隣接して保護層を配置することを含んでもよい。いくつかの実施例では、例示的な技術は、最上層に隣接して色層を配置することを含んでもよい。いくつかの実施例では、例示的な技術は、最上層に隣接してテクスチャ層を配置することを含んでもよい。
【００４４】
このように、本開示による例示的なシステム、物品、及び技術は、多層積層体の主面を通して実質的に視覚的に知覚できない場合がある、光学窓の例を含んでもよい。例えば、光学窓２０を通じた光学フィルタ５８のビューは、多層積層体の主面から、又は表面１８から視覚的に知覚できない場合がある。
【００４５】
本開示に係る例示的な物品及び技術が、以下の非限定的実施形態及び実施例によって例示される。
【００４６】
実施形態
本発明の諸実施形態は、以下に列挙された項目を含む。
【００４７】
項目１．物品であって、
光学フィルタと、
前記光学フィルタに隣接した多層積層体と、を備える物品であって、前記多層積層体は、複数の層を含み、前記複数の層の各それぞれの層は、複数の窓縁のそれぞれの窓縁を画定し、前記複数の窓縁は、前記光学フィルタを通って光を伝送するように構成された光学窓を画定し、前記複数の窓縁の少なくとも第１のそれぞれの窓縁は、前記複数の窓縁の少なくとも第２のそれぞれの窓縁に対して段付けられている、物品。
【００４８】
項目２．前記複数の窓縁の前記第２のそれぞれの窓縁は、前記複数の窓縁の少なくとも第３のそれぞれの窓縁に対して段付けられている、項目１に記載の物品。
【００４９】
項目３．前記第１のそれぞれの窓縁は、前記第２のそれぞれの窓縁に対して半径方向内向きに段付けられている、項目１又は２に記載の物品。
【００５０】
項目４．前記複数の窓縁は、複数の連続的に半径方向内向きの窓縁を含む、項目１に記載の物品。
【００５１】
項目５．前記複数の連続的な半径方向内向きの窓縁は、前記光学フィルタに隣接した、半径方向に最外側の段付き窓縁及び前記光学フィルタから離れている半径方向に最内側の段付き窓縁を含む、項目４に記載の物品。
【００５２】
項目６．前記複数の連続的な半径方向内向きの窓縁の各それぞれの縁は、それぞれ、円、楕円、多角形、又所定の曲線を画定する、項目４又は５に記載の物品。
【００５３】
項目７．前記複数の連続的な半径方向内向きの縁の各それぞれの縁は、所定の閉曲線に実質的に類似したそれぞれの曲線を画定する、項目４〜６のいずれか一項に記載の物品。
【００５４】
項目８．前記複数の窓縁の各それぞれの窓縁は、それぞれの所定の円を画定する、項目１〜７のいずれか一項に記載の物品。
【００５５】
項目９．前記多層積層体の主面に隣接した保護層を更に含み、前記主面は、前記光学フィルタから離れている、項目１〜８のいずれか一項に記載の物品。
【００５６】
項目１０．前記光学窓を実質的に占有する光学的に透明な接着剤を更に含む、項目１〜９のいずれか一項に記載の物品。
【００５７】
項目１１．発光器又は受光器を更に含み、前記光学フィルタは、前記複数の層のうちの少なくとも１つの層と前記発光器又は受光器との間に配置されている、項目１〜１０のいずれか一項に記載の物品。
【００５８】
項目１２．前記光学フィルタは、前記複数の層の最上層と前記発光器又は受光器との間に配置されている、項目１１に記載の物品。
【００５９】
項目１３．前記光学フィルタは、前記複数の層の最下層と前記発光器又は受光器との間に配置されている、項目１１又は１２に記載の物品。
【００６０】
項目１４．前記複数の層の少なくとも１つの層は、実質的に可視光を散乱し、前記複数の層の少なくとも別の層は、実質的に可視光を吸収する、項目１〜１３のいずれか一項に記載の物品。
【００６１】
項目１５．前記少なくとも１つの層は、白色インク、顔料、又は染料のうちの１つ以上を含み、前記少なくとも別の層は、黒色インク、顔料、又は染料のうちの１つ以上を含む、項目１４に記載の物品。
【００６２】
項目１６．色層を更に備え、前記多層積層体は、前記色層と前記光学フィルタとの間に配置されており、前記色層は、前記光学窓にわたって延びている、項目１〜１５のいずれか一項に記載の物品。
【００６３】
項目１７．テクスチャ層を更に備え、前記多層積層体は、前記テクスチャ層と前記光学フィルタとの間に配置されており、前記テクスチャ層は、前記光学窓にわたって延びている、項目１〜１５のいずれか一項に記載の物品。
【００６４】
項目１８．物品であって、
光学フィルタと、
最下層から最上層に配列された複数の層を含む多層積層体であって、前記多層積層体中の各それぞれの上層は、前記複数の層のそれぞれの下層によって画定される、それぞれの下窓縁から半径方向内向きに延びているそれぞれの上窓縁を画定する、多層積層体と、を備える、物品。
【００６５】
項目１９．前記複数の層の少なくとも前記最上層は、実質的に可視光を散乱し、前記複数の層の少なくとも前記最下層は、実質的に可視光を吸収する、項目１８に記載の物品。
【００６６】
項目２０．少なくとも前記最上層は、白色インク、顔料、又は染料のうちの１つ以上を含み、少なくとも前記最下層は、黒色インク、顔料、又は染料のうちの１つ以上を含む、項目１９に記載の物品。
【００６７】
項目２１．物品であって、
光学フィルタと、
前記光学フィルタに隣接した多層積層体であって、前記多層積層体は、複数の層を含み、前記複数層の各それぞれの層は、複数の窓縁のそれぞれの窓縁を画定し、前記複数の窓縁は、前記光学フィルタを通って光を伝送するように構成された光学窓を画定する、多層積層体と、
色層と、を備え、前記多層積層体は、前記色層と前記光学フィルタとの間に配置されており、前記色層は、前記光学窓にわたって延びている、物品。
【００６８】
項目２２．物品であって、
光学フィルタと、
前記光学フィルタに隣接した多層積層体であって、前記多層積層体は、複数の層を含み、前記複数層の各それぞれの層は、複数の窓縁のそれぞれの窓縁を画定し、前記複数の窓縁は、前記光学フィルタを通って光を伝送するように構成された光学窓を画定する、多層積層体と、
テクスチャ層と、を備え、前記多層積層体は、前記テクスチャ層と前記光学フィルタとの間に配置されており、前記テクスチャ層は、前記光学窓にわたって延びている、物品。
【００６９】
項目２３．前記発光器又は受光器は、近接センサ、赤外発光ダイオード、赤外線源、赤外線センサ、カメラ、又は周囲光センサのうちの１つを含む、項目１〜２２のいずれか一項に記載の物品。
【００７０】
項目２４．前記光学フィルタは、所定の赤外線透過率と所定の可視散乱率とを有する波長選択性散乱フィルタを含み、前記光学フィルタは、前記発光器又は受光器をカモフラージュするように構成されている、項目１〜２３のいずれか一項に記載の物品。
【００７１】
項目２５．前記光学窓は、前記多層積層体の主面を通して実質的に視覚的に知覚不能である、項目１〜２４のいずれか一項に記載の物品。
【００７２】
項目２６．前記光学窓を通した前記光学フィルタのビューは、前記多層積層体の主面から視覚的に知覚不能である、項目１〜２４のいずれか一項に記載の物品。
【００７３】
項目２７．項目１〜２６のいずれか一項に記載の物品を含む、携帯型電子装置。
【００７４】
項目２８．前記光学窓に隣接したディスプレイを更に含む、項目２７に記載の携帯型電子装置。
【００７５】
項目２９．方法であって、
複数の層の各それぞれの層中に複数の窓縁のそれぞれの窓縁を形成することと、
多層積層体を形成するように、最下層から最上層へ前記複数の層を配列することであって、前記多層積層体中の各それぞれの上層は、前記複数の層のそれぞれの下層によって画定される、それぞれの下窓縁から半径方向内向きに延びているそれぞれの上窓縁を画定する、配列することと、
前記最下層に隣接して光学フィルタを配置することと、を含む、方法。
【００７６】
項目３０．前記最下層に隣接して前記光学フィルタを配置することは、前記最上層と前記最下層との間に前記光学フィルタを配置することを含む、項目２９に記載の方法。
【００７７】
項目３１．前記最下層に隣接して前記光学フィルタを配置することは、前記最上層と前記光学フィルタとの間に前記最下層を配置することを含む、項目２９に記載の方法。
【００７８】
項目３２．前記複数の層の少なくとも前記最上層は、実質的に可視光を散乱し、前記複数の層の少なくとも前記最下層は、実質的に可視光を吸収する、項目２９〜３１のいずれか一項に記載の方法。
【００７９】
項目３３．少なくとも前記最上層は、白色インク、顔料、又は染料のうちの１つ以上を含み、少なくとも前記最下層は、黒色インク、顔料、又は染料のうちの１つ以上を含む、項目３２に記載の方法。
【００８０】
項目３４．前記光学窓を実質的に占有する光学的に透明な接着剤を配置することを更に含む、項目３１〜３３のいずれか一項に記載の方法。
【００８１】
項目３５．前記最上層に隣接して保護層を配置することを更に含む、項目３１〜３４のいずれか一項に記載の方法。
【００８２】
項目３６．前記最上層に隣接して色層を配置することを更に含む、項目３１〜３５のいずれか一項に記載の方法。
【００８３】
項目３７．前記最上層に隣接してテクスチャ層を配置することを更に含む、項目３１〜３６のいずれか一項に記載の方法。
【実施例】
【００８４】
実施例１
光学フィルタを覆う電子装置の光学窓の外観を評価した。図７Ａは、光学フィルタ５８上の光学窓２０を含む例示的な装置のディスプレイパネルの写真である。図７Ｂは、図７Ａの写真の領域６６の拡大図である。光学フィルタ５８のビュー３４は、光学窓２０を通して可視である。図７Ｂで明らかなように、ビュー３４の外観は、光学窓２０を囲む表面１８の外観から可視的に識別可能である。例えば、光学窓２０は、可視の縁３６を示す。
【００８５】
実施例２
テクスチャ層で覆われた電子装置の光学ウィンドウの外観を評価した。図８は、表面１８にわたって、及び光学窓（図示せず）にわたって延びているテクスチャ層６４によって覆われた光学窓を含む例示的な装置の写真である。テクスチャ層６４は、ディスプレイ１４に隣接して配置される。図８で明らかなように、テクスチャ層６４は、目視による認知から、光学窓をカモフラージュした。
【００８６】
実施例３
光学フィルタを含む試料膜の光学特性を例示的な多層積層体によって覆われた光学フィルタを含む試料膜と比較した。特に、波長選択性近赤外線透過可視散乱光学フィルタ（試料Ｓ１）は、１つ、２つ、３つ、４つ、及び５つの白色層（試料Ｓ２〜Ｓ６）によって覆われ、波長選択性近赤外線透過可視散乱光学フィルタは、５つの白色層（試料Ｓ７）によって覆われた黒色層で覆われた。試料のＬ、ａ、ｂの色値及び可視反射率を測定した。結果を表１に示す。
【表１】
2019534476.tif 000003
【００８７】
図９Ａ及び図９Ｂは、表１の試料膜Ｓ１〜Ｓ７の色ＬＡＢ値（Ｌ＊、ａ＊、及びｂ＊）を表すチャートである。図９Ｃは、光学フィルムに関して図９Ａ及び図９Ｂの例示的な多層光学フィルムのΔＬ、Δａ、及びΔｂ値を表すチャートである。図９Ａ〜９Ｃで明らかなように、Ｌ＊値、ａ＊値、及びｂ＊値は、積層体内の白色層の数が１から５に増加するにつれて、光学フィルタのそれらの値からますます逸脱し続けた。更に、黒色層の追加は、ａ＊値及びｂ＊値における偏差を有意に低減させ、Ｌ＊値における偏差を有意に増加させ、一般に黒色層が散乱強度を低減させることを示す。図９Ｄは、上の曲線から下の曲線への図９Ａ及び図９Ｂの試料Ｓ１〜Ｓ７の可視反射率を表すチャートである。可視反射率は、白色層の数の増加に伴って減少し、白色層に加えて黒色層が含まれている場合に大幅に減少した。
【００８８】
実施例４
図１０Ａは、第１の段のある縁７６及び第２の鮮明な縁７４を有する例示的な多層積層体７２の写真である。波長選択性光学フィルタ５８は、多層積層体７２の下に配置された。光学フィルタ図１０Ｂは、鮮明な縁７４から段のある縁７６への図１０Ａの例示的な光学多層フィルムの色Ｌ値の線形変動を表す第１の曲線８２と、第１の曲線の微分曲線８４と、を表すチャートである。図１０Ａ及び図１０Ｂで明らかなように、鮮明な縁７４は、鋭い勾配を示し、明らかに明白な縁となるが、段のある縁７６は、滑らかな勾配を示し、縁の視認性が減衰した。
【００８９】
本発明のさまざまな実施例について説明した。これら及び他の実施例は、添付の特許請求の範囲の範囲内である。
【図１】
2019534476.tif 000004
【図２Ａ】
2019534476.tif 000005
【図２Ｂ】
2019534476.tif 000006
【図３Ａ】
2019534476.tif 000007
【図３Ｂ】
2019534476.tif 000008
【図４】
2019534476.tif 000009
【図５】
2019534476.tif 000010
【図６Ａ】
2019534476.tif 000011
【図６Ｂ】
2019534476.tif 000012
【図７Ａ】
2019534476.tif 000013
【図７Ｂ】
2019534476.tif 000014
【図８】
2019534476.tif 000015
【図９Ａ】
2019534476.tif 000016
【図９Ｂ】
2019534476.tif 000017
【図９Ｃ】
2019534476.tif 000018
【図９Ｄ】
2019534476.tif 000019
【図１０Ａ】
2019534476.tif 000020
【図１０Ｂ】
2019534476.tif 000021
【国際調査報告】
2019534476.tif 000022
2019534476.tif 000023